(57)【要約】【課題】衣類や寝具等の繊維材に付着したしみの除去に用いるしみ取り液として、特に血液成分のしみに対する除去効果に優れ、汚れが付着したその場でのしみ抜きに非常に有効なものを提供する。【解決手段】水中に、０〜１重量％の界面活性剤と、０．０５〜１重量％の水溶性ポリマーからなる増粘剤と、０．０１〜０．５重量％の焼成カルシウムとが添加混合されてなるしみ取り液とした。【選択図】なし【特許請求の範囲】
【請求項１】
水中に、０〜１重量％の界面活性剤と、０．０５〜１重量％の水溶性ポリマーからなる増粘剤と、０．０１〜０．５重量％の焼成カルシウムとが添加混合されてなるしみ取り液。
【請求項２】
界面活性剤がポリオキシアルキレンアルキルエーテルである請求項１記載のしみ取り液。
【請求項３】
増粘剤が天然高分子多糖類からなる請求項１又は２に記載のしみ取り液。
【請求項４】
焼成カルシウムが生体殻の焼成物である請求項１〜３の何れかに記載のしみ取り液。
【発明の詳細な説明】
【技術分野】
【０００１】
本発明は、衣類や寝具等に付着したしみ、特に血液成分のしみを除去するのに好適なしみ取り液に関する。
【背景技術】
【０００２】
一般的に、衣類や寝具等の繊維材に付着した種々のしみは、付着後の時間が経過するほど繊維中に染みついて除去困難になるが、汚れが付着したその場では応急処置として水を含ませた布で拭うか水を着けて揉む程度であり、それによって汚れが薄まることはあっても除去できず、却ってしみつきの領域を拡げてしまったり、浸透による広範囲な水濡れで継続しての着用・使用が困難になることが往々にしてある。とりわけ、女性の生理や怪我等による血液成分のしみは、水による応急処置では落ちにくく、のちの洗浄・漂白でも非常に落ちにくいものとされている。
【発明の開示】
【発明が解決しようとする課題】
【０００３】
本発明は、上述の情況に鑑み、衣類や寝具等の繊維材に付着したしみの除去に用いるしみ取り液として、特に血液成分のしみに対する除去効果に優れ、汚れが付着したその場でのしみ抜きに非常に有効なものを提供することを目的としている。
【課題を解決するための手段】
【０００４】
上記目的を達成するために、本発明の請求項１に係るしみ取り液は、水中に、０〜１重量％の界面活性剤と、０．０５〜１重量％の水溶性ポリマーからなる増粘剤と、０．０１〜０．５重量％の焼成カルシウムとが添加混合されてなるものとしている。
【０００５】
また、請求項２の発明は、上記請求項１のしみ取り液において、界面活性剤がポリオキシアルキレンアルキルエーテルである構成としている。
【０００６】
請求項３の発明は、上記請求項１又は２のしみ取り液における増粘剤が天然高分子多糖類からなるものとしている。
【０００７】
請求項４の発明は、上記請求項１〜３の何れかのしみ取り液における焼成カルシウムが生体殻の焼成物であるものとしている
【発明の効果】
【０００８】
請求項１の発明に係るしみ取り液は、しみが付着した繊維材に含浸させることにより、焼成カルシウムに由来するカルシウム成分が優れたキレート（金属封鎖）作用を発揮し、界面活性剤との協動によってしみの汚れ成分を衣類等の繊維から効率よく遊離して除去でき、特に血液成分のしみに対してはそのヘモグロビンの鉄分をキレートして高い除去能力を発揮できる。また、このしみ取り液では、汚れが付着したその場でしみつき部分に滴下含浸させても、含有する増粘剤の作用で繊維材に対する液の浸透が抑えられるから、しみつきの領域が拡がるのを防止できる上、有効成分であるカルシウム成分と界面活性剤が逸散せずに効率よく作用し、それだけ汚れの遊離除去の効果が大きくなると共に、水濡れを少なくできるので衣服等の継続着用が可能になる。
【０００９】
請求項２の発明によれば、しみ取り液が特定の界面活性剤を含むことから、より高いしみ取り効果が得られる。
【００１０】
請求項３の発明によれば、しみ取り液の増粘剤が天然高分子多糖類からなるため、皮膚を刺激したり繊維材の生地を傷めたりする懸念がない。
【００１１】
請求項４の発明によれば、焼成カルシウムが生体殻の焼成物であることから、特に血液成分のしみに対する高い除去作用が得られると共に、該焼成カルシウム成分を大量に食消費されるホタテ貝殻等を原料として安価に入手できる。
【発明を実施するための最良の形態】
【００１２】
本発明のしみ取り液は、既述のように、水中に界面活性剤及び増粘剤と焼成カルシウムとを特定割合で添加混合したものであり、衣服や寝具等の繊維材に付着したしみ、特に血液成分のしみに対する優れた除去効果を発揮する。
【００１３】
このしみ取り液に用いる焼成カルシウムは、特に血液成分のしみの除去に大きく貢献する成分であり、その優れたキレート作用によってヘモグロビンの鉄分を捕獲する機能を発揮することが判明している。その添加量は、しみ取り液全量の０．０１〜０．５重量％となる範囲であり、０．０１重量％未満では充分な添加効果が得られず、逆に０．５重量％を越えては液中の不溶分による濁りを生じるという問題がある。
【００１４】
上記の焼成カルシウムは、しみ取り液の調製に際してその微粉末を水中に添加するが、化学品としての酸化カルシウム粉末つまり石灰石の熱分解で得られる所謂生石灰よりも、生体殻つまり貝類等の生体に付随する炭酸カルシウム系の殻を焼成した焼成カルシウムが好適である。この生体殻の焼成カルシウムは、生石灰とは性質が異なり、水と激しく反応して発熱するようなことがない。その理由については明確ではないが、例えば、ホタテ貝殻から得られる焼成カルシウムでは、水中に添加した際、生石灰の水和時に発生するような反応熱も観測されないため、急速な水酸化カルシウムの生成はなく、また液のｐＨの上昇も少ないことから、水中であまりイオン化せずにコロイド粒子として存在するものと推測される。
【００１５】
このような焼成カルシウム粉末の原料となる生体殻としては、例えばホタテ貝、牡蠣、サザエ、ホッキ貝、ハマグリ、アサリ、シジミ等の貝殻の他、ウニの殻、鶏卵の殻、珊瑚等も挙げられる。しかして、貝殻、とりわけ大量に食消費されるホタテ貝の殻は、安価に入手できると共に、廃物の有効利用として省資源及び環境保全にも貢献できる上、焼成・粉砕品が均質で性能的にも優れるから、特に好適なものとして推奨される。
【００１６】
上記貝殻の如き生体殻の焼成は、少量ではオートクレーブや電気炉等を用い、多量ではロータリーキルンや大型燃焼炉等を用いて行うが、好適には不活性ガス雰囲気として、温度７００〜１１００℃程度で数分〜数時間程度加熱すればよい。また、粉砕は焼成前後のいずれでもよいし、粗粉砕して焼成後に更に粉砕してもよい。焼成カルシウムの粒度しては、平均粒子径で２〜１００μｍの範囲がよく、大き過ぎてはしみ取り液を含浸させた繊維材に付着残留してざらついたりする懸念がある。
【００１７】
また、しみ取り液に用いる前記の界面活性剤は、血液成分のしみ取りにおいて、前記のようにヘモグロビンの鉄分をキレートしたカルシウム成分を他のしみ成分と共に繊維材から遊離させ、濯ぎ等で除去し易くするものである。しかして、このような界面活性剤としては、一般的な洗剤に配合されているものをいずれも使用できるが、洗浄力の点からポリオキシエチレンラウリルエーテルやポリオキシエチレンポリオキシポリプロピレンラウリルエーテル等のポリオキシアルキレンアルキルエーテルが好適である。
【００１８】
このような界面活性剤の添加量は、しみ取り液全量の１重量％以下でよく、より多くしても血液成分のしみ取り効果は上がらず、それだけ界面活性剤が無駄になる上に濯ぎ落しの手間が増えることになる。また、本発明のしみ取り液は界面活性剤を不添加のものも包含するが、この界面活性剤の添加効果を実質的に発揮させる上ではしみ取り液全量の０．１重量％以上とするのがよい。
【００１９】
前記の水溶性ポリマーからなる増粘剤は、その添加によってしみ取り液の粘度を上げるものである。すなわち、この増粘剤を含むしみ取り液では、しみが付着した衣類や寝具等に含浸させた際、繊維材に対する液の浸透が抑えられるから、しみつきの領域が拡がるのを防止できると共に、有効成分のカルシウム成分と界面活性剤が逸散せずに効率よく作用し、それだけ汚れの遊離除去の効果が大きくなる。また、汚れが付着したその場で衣服等に滴下含浸させても水濡れを少なくできるので、しみ取り後の衣服等を継続して着用する必要がある場合に好都合である。
【００２０】
このような増粘剤の水溶性ポリマーとしては、特に制約されないが、皮膚を刺激したり繊維材の生地を傷めたりする懸念がない点から、天然高分子多糖類が好適である。また、この天然高分子多糖類の中でも、キサンタンガムの如きアルカリ性に強いものが特に推奨される。
【００２１】
増粘剤の添加量は、しみ取り液全量の０．０５〜１重量％となる範囲であり、０．０５重量％未満では充分な増粘作用が得られず、逆に１重量％を越えるとしみ取り液が繊維へ浸透しにくくなると共にしみ取り効果も低下する。
【００２２】
本発明のしみ取り液は、特に女性の生理や怪我等による血液成分のしみに対する除去効果に優れるものであるが、食物や飲料等の付着による一般的なしみに対しても有効である。しかして、このようなしみ取り液は、携帯して汚れが付着したその場で衣服等に付与し易いように、キャップ付きの一端側突出部に小径の注出孔を有する可撓性のプラスチック容器に収容することが推奨される。なお、血液成分のしみに対しては、そのしみの部分に含浸させ、血液成分が溶け出すのを確認してから、水で濯いで洗い流すことになるが、それでも残っている場合には同じ操作を反復すればよい。
【実施例】
【００２３】
水中に界面活性剤及び増粘剤と焼成カルシウムを添加混合し、下記組成のしみ取り液を調製し、その１０ｍｌをポリエチレン製の注出容器に収容した。なお、使用した焼成カルシウムは、乾燥したホタテ貝殻を粗粉砕し、この粉砕物を電気炉内に装填して内部を窒素ガスで置換し、約１０００℃にて３０分間の焼成を行い、焼成物を室温まで放冷させて再粉砕し、この粉砕物を篩にかけて粒度２〜１０μｍ分を採取したものである。
【００２４】
〔しみ取り液組成〕
ポリオキシエチレン・ポリオキシポリプロピレンラウリルエーテル
（三洋化成社製エマルミンＦＬ−１００）              ・・・・・０．３０重量％
キサンタンガム（三晶社製ケルザンＡＲ）              ・・・・・０．２０重量％
焼成カルシウム微粉末                                ・・・・・０．０５重量％
精製水                                              ・・・・９９．４５重量％
【００２５】
〔しみ取り試験〕
血液汚染布（ＥＭＰＡ−１１１）に上記注出容器のしみ取り液を数滴（約１ｍｌ）滴下したところ、径約２０ｍｍの液濡れ部分内で血液成分が拡がらずに浮き出し、次いで水道水で濯いだところ、該液濡れ部分が完全に色抜けして白色生地が現れた。